(57)【要約】【課題】  折り畳み状態の折畳みベッドのような重量のある物品であっても、容易に包囲するように収納することができる収納具を提案し、利用者の満足度を向上させることを目的とする。【解決手段】  折畳みベッド５ｂを包囲するように収納する折畳みベッド収納カバー１であって、該折畳みベッド収納カバー１の底面を開放し、収納する折畳みベッド５ｂの通過を許容する門型出入口６を側面に備え、前記門型出入口６と底面の開放部分とを連通させて形成し、前記門型出入口６に、前記門型出入口６の左右両端の少なくとも各一部を互いに連結する開閉バー７を備え、前記開閉バー７を、開放と連結とを切替可能に形成した。【選択図】    図９
2006122418.tif 000002
【特許請求の範囲】
【請求項１】
物品を包囲するように収納する収納具であって、
該収納具の底面を開放し、
収納する物品の通過を許容する開口部を側面に備え、
前記開口部と底面の開放部分とを連通させて形成した
収納具。
【請求項２】
前記開口部に、前記開口部の左右両端の少なくとも各一部を互いに連結する連結手段を備え、
該連結手段を、開放と連結とを切替可能に形成した
請求項１に記載の収納具。
【請求項３】
前記側面の下端に、前記収納具を移動可能にする移動手段を備えた
請求項１、または２に記載の収納具。
【請求項４】
本体内部に、収納した前記物品と前記本体との相対位置を略固定する固定手段を備えた
請求項１、２あるいは３に記載の収納具。
【請求項５】
前記本体を、
棒状部材による組立て可能な略直方体の骨組みと、
該骨組みの上部と側部とを包囲するカバー体とで構成し、
底面枠を構成する前記骨組みの少なくとも１部分を開放させて前記開口部を形成した
請求項１から４のうちにいずれか１つに記載の収納具。
【請求項６】
前記カバー体の一部に、
前記開口部を閉塞する閉塞体と、
該閉塞体を開閉する開閉手段とを備えた
請求項５に記載の収納具。
【請求項７】
前記本体の上部に、前記物品に関連する関連物品を収納する収納部を備えた
請求項１から６のうちいずれか１つに記載の収納具。
【発明の詳細な説明】
【技術分野】
【０００１】
この発明は、例えば折畳みベッドを包囲するようにして収納するような収納具に関する。
【背景技術】
【０００２】
生活の洋式化が進む昨今の生活環境においては、日本古来からの畳の上に布団を敷いて就寝するという就寝方法より、ベッドで就寝する就寝方法を好む人が多くなってきている。
【０００３】
しかし、住宅環境の悪い日本では、各部屋の占用面積が狭いため、ベッドが部屋の利用可能面積を狭めることとなり、就寝時以外のベッドの存在は利用者にとって邪魔なものであった。
【０００４】
そこで、就寝時にはベッドとして利用し、就寝時以外はベッドを収納して部屋の利用可能面積を拡大させる収納ベッド装置が提案されている（特許文献１参照）。
【０００５】
前記収納ベッド装置は、収納時は正面視長方形形状であり、前面下端に備えた左右方向水平軸を枢軸として、前面上部を引っ張り出すことで、前記前面を基台としたベッドが出現する。逆に収納時は、左右方向水平軸を枢軸としてベッド手前基台を持ち上げることによって、ベッドは長手方向側面を下面とした横転状態で収納される。
【０００６】
前記収納ベッド装置は、ベッドの出し入れが容易であり、収納時には一見、箪笥のように見えるため見栄えがよい。また収納時には、ベッドの側面よりひと回り大きい程度の平面面積しか必要としないため、収納時には部屋に広い利用可能面積を確保しながら、使用時にはベッドでの就寝を堪能することができる。
【０００７】
しかし、前記収納ベッド装置は、収納のための枢動機構が複雑であり、また収納時の装置の必要平面面積は小さいものの、装置全体の容積は大きくなるため非常に高価なものであった。
【０００８】
そこで、使用時にはベッドとして利用し、非使用時においては寝台部分をへの字に折り曲げる折畳みベッドが提供されている。
【０００９】
前記折畳みベッドは、マットおよび敷布団を敷いたまま、折り畳むことができ、例えば、シングルベッドを折り畳んだ場合は、幅１ｍ程度、高さ１ｍ程度、ならびに奥行き７０ｃｍ程度のサイズとなるため、部屋に広い利用可能面積を確保しながら、ベッドでの就寝を堪能することができる。
【００１０】
しかし、前記収納ベッド装置と比べて安価であるものの、折畳み状態でマットや敷布団が視認できるため、見栄えが悪かった。  
また、前記折畳みベッドを長期間使用しない場合にはほこり等によって汚れるといった問題があった。
【００１１】
【特許文献１】特開平９−２２４７８２号公報
【発明の開示】
【発明が解決しようとする課題】
【００１２】
本発明は、上記問題に鑑み、例えば折り畳み状態の折畳みベッドのような重量のある物品であっても、容易に包囲するように収納することができる収納具を提案し、利用者の満足度を向上させることを目的とする。
【課題を解決するための手段】
【００１３】
この発明は、物品を包囲するように収納する収納具であって、該収納具の底面を開放し、収納する物品の通過を許容する開口部を側面に備え、前記開口部と底面の開放部分とを連通させて形成したことを特徴とする。
【００１４】
前記物品は、普通人が一人で容易に持ち上げることのできない重量を有する物品、または、移動手段よって容易に移動することはできるが、普通人が一人で容易に段差を乗り越えることができないような重量を有する物品であることを含む。
【００１５】
また、前記物品は、不使用時に畳んでおける折畳み構造を備えた物品、または使用状態と不使用状態で設置状態を切り替える切替構造を有する物品等を含む。  
前記物品の包囲は、物品の上方および側方を包囲することを含む。
【００１６】
前記開口部は、矩形形状、釣鐘形状、物品のいずれかの側面視形状に合わせた形状で形成された開口部を含む。  
また、前記開口部は、開口部を自在に開閉できる閉塞体を備えた開口部、開口部を覆う変形可能な覆体を備えた開口部を含む。  
前記側面は、物品の側方を包囲している部分を指すことを含む。
【００１７】
これにより、例えば、一人の普通人が持ち上げ不可能な重量を有する物品であっても、該物品を移動、あるいは収納具を移動させて、前記物品を持ち上げることなく容易に収納することができる。
【００１８】
また、包囲するようにして収納するため、見栄えの悪い物品であっても前記収納具に収納することで、見栄えを良くすることができる。したがって、例えば、部屋を見栄えよく整理することができる。
【００１９】
この発明の態様として、前記開口部に、前記開口部の左右両端の少なくとも各一部を互いに連結する連結手段を備え、該連結手段を、開放と連結とを切替可能に形成することができる。
【００２０】
前記連結手段は、棒状部材、および開口部を閉塞する板状の閉塞体で形成した連結手段を含む。  
これにより、収納具の剛性を高めることができ、例えば収納具の上部に重量物を収納または載置することができる。
【００２１】
また、この発明の態様として前記側面の下端に、前記収納具を移動可能にする移動手段を備えることができる。  
前記移動手段は、キャスタ、ローラ、ボールローラ、あるいは摩擦低減材によって形成することを含む。
【００２２】
これにより、前記収納具を容易に移動することができるため、状況に合わせて設置箇所を自由に選択することができる。  
また、例えば、大型テレビ等や洗濯機のような普通人が容易に移動できない重量物品であっても、収納具を重量物品の設置箇所に移動させて収納することができる。
【００２３】
また、この発明の態様として本体内部に、収納した前記物品と前記本体との相対位置を略固定する固定手段を備えることができる。
【００２４】
これにより、例えば折畳み状態の折畳みベッドのようにキャスタによって移動可能な物品を収納し、前記本体とともに収納した物品を移動する場合に、収納した物品と本体との相対位置を略固定できるため、収納状態のまま安定して移動することができる。
【００２５】
また、前記収納した物品と前記本体とが、移動の際の異なる挙動によって、互いに接触して、互いに損傷を受けることを防止できる。
【００２６】
また、この発明の態様として前記本体を、棒状部材による組立て可能な略直方体の骨組みと、該骨組みの上部と側部とを包囲するカバー体とで構成し、底面枠を構成する前記骨組みの少なくとも一部分を開放させて前記開口部を形成することができる。
【００２７】
前記棒状部材は、紙製パイプ、樹脂製パイプ、金属製パイプ、紙製棒状部材、樹脂製棒状部材、金属製棒状部材等を含む。
【００２８】
前記組立て可能は、一回のみの組立て可能、組立てと解体とを繰返すことができる組立て可能であることを含む。
【００２９】
前記カバー体は、布製、不織布製、ゴム製、ビニール製、プラスチック製等であるカバー体を含む。
【００３０】
これにより、収納具の構造を容易にすることができるため、収納具を軽量に形成することができ、また製造コストを低減することができる。
【００３１】
また、組立て可能としたため、組立て前の状態をコンパクトに梱包することができ、組立て前の運搬および保管を容易にすることができる。
【００３２】
また、この発明の態様として前記カバー体の一部に、前記開口部を閉塞する閉塞体と、該閉塞体を開閉する開閉手段とを備えることができる。
【００３３】
前記閉塞体は、カバー体と一体形成、または別体形成することを含む。
【００３４】
開閉手段は、ヒンジ接続、屈曲可能な部材による接続、スライド構造、または折畳み構造で形成することを含む。
【００３５】
また、開閉手段は、チャック、ファスナ、ボタン、面ファスナ、またはフックによって形成することを含む。
【００３６】
また、この発明の態様として前記本体の上部に、前記物品に関連する関連物品を収納する収納部を備えることができる。
【００３７】
前記本体の上部は、前記収納具の上面の上側および前記収納具内部の上方を指すことを含む。
【００３８】
前記関連物品は、例えば物品の部品や付属物等の前記収納具に収納する物品に直接的に関連のある物品、または例えば敷き布団に対する掛け布団、枕あるいは毛布のような間接的に関連のある物品を含む。
【００３９】
これにより、関連物品を近傍に収納することができるため、収納する物品の使用の利便性が高まるとともに、関連物品の紛失を防止できる。
【発明の効果】
【００４０】
この発明によって、物品を容易に包囲するように収納し、利用者の満足度を向上させることができる。
【発明を実施するための最良の形態】
【００４１】
この発明の一実施形態を以下図面と共に説明する。  
【実施例１】
【００４２】
まず、折畳みベッド収納カバー１の左方向から見た斜視図を示す図１、金属製骨組３の正面図を示す図２、金属製骨組３の左断面図を示す図３とともに、折畳みベッド収納カバー１について説明する。
【００４３】
なお、図１（ｂ）は、内部を視認できるように本体カバー２を透過して示している。
【００４４】
折畳みベッド収納カバー１は、横方向パイプ３ａと縦方向パイプ３ｂとによって略直方体に形成した金属製骨組３と、その外周部を包囲する本体カバー２とで構成し、中段の横方向パイプ３ａに係止する平面視略長方形の仕切板４で金属製骨組３内部を上下に仕切り、掛け布団や枕等の関連寝具５ａを収納する上部収納棚１ａと、折畳みベッド５ｂを収納するベッド収納部１ｂとを形成している。
【００４５】
また、金属製骨組３の正面下辺を開放し、下段の左右の側部および背部の三方は、横方向パイプ３ａを縦方向パイプ３ｂ下端に連結して平面視コの字に形成している。また、正面左右の縦方向パイプ３ｂと中段正面の横方向パイプ３ａとによって門型出入口６を形成し、門型出入口６の下部に回動可能な開閉バー７を備えている。
【００４６】
このため、図２（ａ）、（ｂ）に示すように門型出入口６の下部の開閉を切り替えることができる。  
さらにまた、下段の横方向パイプ３ａの下面にはキャスタ３ｄを備えている。
【００４７】
なお、横方向パイプ３ａおよび縦方向パイプ３ｂは、折畳みベッド収納カバー１のサイズおよび上部収納棚１ａに収納する関連寝具５ａの想定される重量等を考慮した適宜の太さと厚みを有する金属製のパイプで形成され、横方向パイプ３ａと縦方向パイプ３ｂとは、樹脂製の適宜の強度および形状の連結具３ｃによって連結して略直方体を形成している。
【００４８】
また、仕切板４は想定される関連寝具５ａの重量を考慮した適宜の肉厚を有する樹脂製の板状部材であり、仕切板４の縁部に備えた横方向パイプ３ａの外形に適合したフック４ａを中段の横方向パイプ３ａに係止して仕切板４を金属製骨組３に固定している。  
本体カバー２は金属製骨組３の上方および側方の五方を包囲し、金属製骨組３の外寸よりわずかに大きく形成された薄手の不織布で構成している。
【００４９】
また、本体カバー２の正面上部と正面下部には、上部収納棚１ａまたはベッド収納部１ｂに関連寝具５ａまたは折畳みベッド５ｂをそれぞれ収納するための収納口２ａ、２ｂを備えている。  
さらにまた、収納口２ａ、２ｂには長方形に形成した収納口カバー２ｃ、２ｄを備え、収納口カバー２ｃ、２ｄはそれぞれファスナ２ｅ、２ｆによって収納口２ａ、２ｂを自在に開閉することができる。
【００５０】
なお、収納口２ａ、２ｂは、上部収納棚１ａおよびベッド収納部１ｂの正面枠の内面と略同一の大きさである。  
また、ファスナ２ｅを正面視逆コの字形状で形成し、ファスナ２ｆを鉛直部がカバー体の下端に達する正面視逆Ｌ字形状で形成している。
【００５１】
これにより、例えば折畳みベッド５ｂのようにキャスタ５ｃによって移動することはできるが普通人が一人で持ち上げ不可能なような重量物であっても、一人で容易にベッド収納部１ｂに収納することができるため、見栄えのよい整理整頓ができる。
【００５２】
また、例えば関連寝具５ａのような折畳みベッド５ｂと一緒に使用する関連物品を上部収納棚１ａに収納することができ、整理整頓が容易にできるとともに、折畳みベッド５ｂの使用時の利便性が高まる。
【００５３】
また、外周を板状の木製部材で形成する場合と比べて折畳みベッド収納カバー１を軽量に形成することができる。
【００５４】
また、金属製骨組３と本体カバー２とで折畳みベッド収納カバー１を構成するため、容易に折畳みベッド収納カバー１を組み立てることができるとともに、組立て前の梱包状態をコンパクトにすることができ、組立て前の運搬および保管が容易である。
【００５５】
続いて門型出入口６下部の拡大斜視図を示す図４とともに開閉バー７について説明する。
【００５６】
金属製骨組３の底面は、上述したように金属製骨組３の正面下辺を開放し、下段の左右の側部および背部の三方は、横方向パイプ３ａを縦方向パイプ３ｂ下端に連結して平面視コの字に形成している。また、正面左右の縦方向パイプ３ｂと中段正面の横方向パイプ３ａとによって門型出入口６を形成している。
【００５７】
開閉バー７は、一端を正面左側の縦方向パイプ３ｂの下部の連結具３ｃに備えたバー取付け部７ａを回動軸として回動可能に取付け、他端にホルダ８を備えている。
【００５８】
ホルダ８は、縦方向パイプ３ｂの外周と略同一の内面を有する略円筒形であり、円筒形の円周の約２／３を形成する固定部８ａと、固定部８ａの一端に枢動可能に備えた円周の約１／３を形成する稼動部８ｂとで構成する。
【００５９】
固定部８ａは上述したように開閉バー７の一端に固定し、稼動部８ｂは固定部８ａとともに円筒形に形成した状態で固定できるとともに、稼動部８ｂを枢動させてホルダ８を開放することができる。
【００６０】
上記構成により、開閉バー７を回動させて開閉バー７のホルダ８側が正面右側の縦方向パイプ３ｂの位置にある際に、稼動部８ｂを枢動してホルダ８を開放し、正面右側の連結具３ｃの縦方向パイプ３ｂ部分がホルダ８の内部側となるようにして、ホルダ８で連結具３ｃを拘束することができる。
【００６１】
これにより開閉バー７の両端が縦方向パイプ３ｂに固定され、図４において破線で示すように門型出入口６の下部を連結することができる。  
逆に稼動部８ｂを枢動して連結具３ｃの縦方向パイプ３ｂ部分の拘束を解放し、開閉バー７を回動することで図４において実線で示すように門型出入口６の下部を開放することができる。
【００６２】
これにより、開閉バー７を開放することで折畳みベッド５ｂの出し入れを容易にするとともに、開閉バー７によって門型出入口６の下部を連結することで金属製骨組３の構造上の強度を向上させることができる。  
また、開閉バー７の開閉を容易に切り替えることができる。
【００６３】
なお、金属製骨組３の組立て構造ならびに仕切板４の金属製骨組３への固定方法は上述した方法に限定されず、例えば、上段および中段の横方向パイプ３ａをなくし、平面視略長方形の板状部材を直接、縦方向パイプ３ｂに固定して金属製骨組３を形成してもよい。
【００６４】
また、横方向パイプ３ａおよび縦方向パイプ３ｂによって構成している枠組みに、それぞれの対角の連結具３ｃを結ぶ斜め方向部材を備えてもよい。
【００６５】
これにより、金属製骨組３の剛性を高めることができ、重量のある物品を上部収納棚１ａに載置することができる。
【００６６】
また、横方向パイプ３ａおよび縦方向パイプ３ｂを樹脂製パイプや紙製パイプ等で形成してもよい。
【００６７】
また、開閉バー７を上下に回動させてもよい。
【００６８】
また、マットおよび敷布団だけでなく、毛布または掛け布団を敷いたまま折り畳んだ折畳みベッド５ｂの収納を許容し、上部収納棚１ａのないベッド収納部１ｂのみの折畳みベッド収納カバー１を形成しても良い。  
これにより、上部収納棚１ａがなくとも関連寝具５ａを一緒に収納できるため、関連寝具５ａの紛失を防止できる。
【実施例２】
【００６９】
拘束治具１０を備えた第２の実施例の折畳みベッド収納カバー１の左側面図を示す図５と、前記折畳みベッド収納カバー１の正面図を示す図６と、Ａ−Ａ平面断面図を示す図７、拘束治具１０の説明図を示す図８とともに拘束治具１０について説明する。
【００７０】
ベッド収納部１ｂを形成する左右両側の枠組みに筋交い３ｅを備えた金属製骨組３は、背部側縦方向パイプ３ｂと筋交い３ｅとの両方に係止して取付けた上下２段の拘束治具取付プレート１１ａ、１１ｂを備え、それぞれの拘束治具取付プレート１１（１１ａ、１１ｂ）の金属製骨組３内部側に拘束治具１０を備えている。
【００７１】
なお、筋交い３ｅは、左右それぞれの中段の正面側の連結具３ｃと下段の背部側の連結具３ｃとを斜め方向に連結し、金属製骨組３の剛性を高めている。
【００７２】
また、拘束治具取付プレート１１は、樹脂製の板状部材で形成され、一端に縦方向パイプ用取付け部１１ｃと、他端に筋交い用取付け部１１ｄとをそれぞれの適宜の角度で備えている。
【００７３】
拘束治具取付プレート１１のうち上方の拘束治具取付プレート１１ａは、拘束治具取付プレート１１ｂより長く形成され、折畳みベッド５ｂの側部上方の二箇所を拘束するように金属製骨組３内部側に２つの拘束治具１０を適宜の間隔を有して備えている。
【００７４】
また、拘束治具取付プレート１１ｂは折畳みベッド５ｂの側部の高さ方向中央付近の一箇所を拘束するように金属製骨組３内部側に拘束治具１０を備えている。
【００７５】
なお、図６（ａ）および（ｂ）に示すように金属製骨組３の左右両側に拘束治具取付プレート１１ａ、１１ｂをそれぞれ備え、左右の拘束治具取付プレート１１ａ、１１ｂならびに拘束治具１０をそれぞれ左右対称な位置に備えている。
【００７６】
図８に示すように、拘束治具１０は台座部１０ａ、フレーム部１０ｂおよびローラ部１０ｃとで構成している。
【００７７】
台座部１０ａは矢印Ａ、Ｂ方向の往復移動可能なフレーム部１０ｂを備え、フレーム部１０ｂは回転軸１０ｄを軸として回転可能なローラ部１０ｃを備えている。
【００７８】
なお、フレーム部１０ｂは、図示しない弾性部材で支持されており、矢印Ａ方向への一定以上の圧力に対して矢印Ａ方向に移動し、該圧力が解放されると、前記弾性部材に蓄えられた反発力によって矢印Ｂ方向に移動する。
【００７９】
上記構成により、上下二段に配された片側３箇所の拘束治具１０が左右両側から金属製骨組３内部側に向いて備えられ、折畳みベッド５ｂをベッド収納部１ｂに収納する際に、折畳みベッド５ｂ背面が左右の拘束治具１０の間を割り込むようにして後方（図５では左側）に進むことで、それぞれの拘束治具１０が左右から折畳みベッド５ｂの側部を挟みこむようにして折畳みベッド５ｂを金属製骨組３に対する移動を略拘束することができる。
また、ローラ部１０ｃが回転可能であるため、折畳みベッド５ｂの後方移動に拘束治具１０が支障することはない。
【００８０】
これにより、例えば折畳みベッド５ｂのようにキャスタ５ｃによって移動可能な物品を収納し、折畳みベッド５ｂと金属製骨組３との相対位置を略固定できるため、折畳みベッド収納カバー１とともに収納した物品を移動する場合に安定して移動することができる。
【００８１】
また、折畳みベッド５ｂと金属製骨組３とが、移動の際の異なる挙動によって、接触して、互いに損傷を受けることを防止できる。
【実施例３】
【００８２】
第３の実施例の折畳みベッド収納カバー１について、図９に示す斜視図とともに説明する。
【００８３】
折畳みベッド収納カバー１は、正面、背面、側面ならびに上面を木製の板状部材１２で形成している。  
また、折畳みベッド収納カバー１内部には折畳みベッド収納カバー１内部を上下に仕切る図示しない仕切り板を備えて上部収納棚１ａおよびベッド収納部１ｂを形成するとともに、正面部材１２ａには、収納口２ａおよび門型出入口６を設け、右側辺を枢着して開閉自在な取手付きの板状扉１３ａ，１３ｂを収納口２ａおよび門型出入口６に備えている。
【００８４】
なお、板状扉１３ｂの他端には門型出入口６の一方の側部となる正面部材１２ａに設けた嵌着凹部１４に嵌着して板状扉１３の閉状態を保持する嵌着凸部１５を上下に二つ備えている。
【００８５】
これにより、高級感および重厚感のある折畳みベッド収納カバー１を形成することができる。
【００８６】
また、折畳みベッド収納カバー１を板状部材１２で構成したことにより、金属製骨組３で折畳みベッド収納カバー１を構成した場合に比べて、関連寝具５ａより重量のある物品を収納することができる。
【００８７】
また、嵌着凹部１４と嵌着凸部１５とを嵌着することで、板状扉１３の閉状態を保持することができ、これにより収納口２ｂの左右を連結することができる。したがって、折畳みベッド収納カバー１の剛性を向上させることができ、さらに重量のある物品を上部収納棚１ａに収納することができる。
【実施例４】
【００８８】
第４の実施例の折畳みベッド収納カバー１について、左斜視図を示す図１０と、中央上部の拡大正面断面図を示す図１１とともに説明する。
【００８９】
折畳みベッド収納カバー１は、第1の実施例と同じ部材で、横方向パイプ３ａと縦方向パイプ３ｂとによって略直方体に形成した金属製骨組３と、その外周部を包囲する本体カバー２とで構成し、中段の横方向パイプ３ａに係止する平面視略長方形の仕切板４で金属製骨組３内部を上下に仕切り、掛け布団や枕等の関連寝具５ａを収納する上部収納棚１ａと、折畳みベッド５ｂを収納するベッド収納部１ｂとを形成している。
【００９０】
また、金属製骨組３の左側面下辺を開放し、下段の右の側部、正面および背部の三方は、横方向パイプ３ａを縦方向パイプ３ｂ下端に連結して平面視コの字に形成している。また、左側面左右の縦方向パイプ３ｂと中段左側部の横方向パイプ３ａとによって門型出入口６を形成し、下段の横方向パイプ３ａの下面にはキャスタ３ｄを備えている。
【００９１】
また、略直方体の上面枠を構成する上段の横方向パイプ３ａのうち左右の横方向パイプ３ａを掛け渡す上面枠補強パイプ３ｆを奥行き方向に適宜の間隔を有して３本備えている。
【００９２】
また、上段側面枠の上部に、上段の左側部の横方向パイプ３ａに平行なレールパイプ３ｇを、前記横方向パイプ３ａから間隔をあけて備えている。
【００９３】
本体カバー２は薄手の不織布で、金属製骨組３の上方および正面、背部および右側方の四方と、左側面の上端からレールパイプ３ｇの下方までとを一体で包囲し、金属製骨組３の左側部を開放して収納口２ｃを形成している。  
なお、収納口２ｃには、レールパイプ３ｇに係止するカーテン２０を備えている。  
カーテン２０は、左右に広げた状態において、金属製骨組３の側面幅よりわずかに大きくなるように形成され、図１１に示すように複数のＳ型フック２１の一方をカーテン２０の上部折り返しに、所定の間隔を開けて幅方向に引っ掛け、Ｓ型フック２１の他方をレールパイプ３ｇに引っ掛けてカーテン２０を掛止している。
【００９４】
また、上部収納棚１ａの正面枠および背部枠の上部に左右の縦方向パイプ３ｂを掛け渡す掛止パイプ取付け具２３をそれぞれ備え、両方の掛止パイプ取付け具２３を掛け渡す掛止パイプ２２を備えている。
【００９５】
上記構成により、Ｓ型フック２１をレールパイプ３ｇ上でスライドさせてカーテン２０を金属製骨組３の側面の正面側あるいは背部側の一方に寄せることで収納口２ｃを開放することができる。  
したがって、上部収納棚１ａまたはベッド収納部１ｂにそれぞれ関連寝具５ａまたは折畳みベッド５ｂを、金属製骨組３の側方より収納することができる。
【００９６】
また、上段の横方向パイプ３ａ内側に上面枠補強パイプ３ｆを備えたことにより、折畳みベッド収納カバー１の上面に上面収納部１ｃを形成することができる。  
また、掛止パイプ２２を備えたことにより、関連寝具５ａを掛止パイプ２２に掛けて収納することができる。
【００９７】
これにより、上部収納棚１ａまたはベッド収納部１ｂへの関連寝具５ａまたは折畳みベッド５ｂの収納を容易にする。
【００９８】
また、カーテン２０によって収納口２ｃの開閉が容易になるとともに、カーテン２０を本体カバー２と別体で形成しているため、例えばカーテン２０の柄や色彩を気分に合わせて変更できるため、利用者の満足度を向上させることができる。
【００９９】
また、折畳みベッド収納カバー１の上面に上面収納部１ｃを形成したことで、折畳みベッド収納カバー１の収納能力を増大させることができる。
【０１００】
また、関連寝具５ａを掛止パイプ２２に掛けて収納することができるため、自重によって関連寝具５ａが型崩れすることを防止できる。
【０１０１】
なお、レールパイプ３ｇは、上段の左側部の横方向パイプ３ａで代用してもよい。
【０１０２】
また、カーテン２０の上方にハドメ等で孔を幅方向に所定間隔を開けて複数備え、前記孔にＳ型フック２１の一方を引っ掛けてカーテン２０を掛止してもよい。
【実施例５】
【０１０３】
第５の実施例の折畳みベッド収納カバー１について、左側面図を示す図１２とともに説明する。
【０１０４】
本実施形態における折畳みベッド収納カバー１は、実施例１の仕切板４を金属製骨組３の上部にも備え、中段の横方向パイプ３ａに係止している仕切板４には上下を貫通する通気孔３１を複数備えている。
【０１０５】
また、上部の仕切板４には温風乾燥機３０を載置し、温風乾燥機３０の下面から排出される温風を金属製骨組３内部に取込む通気孔３１を備えている。  
また、金属製骨組３および温風乾燥機３０を一体として包囲するように本体カバー２でカバーし、温風乾燥機３０の側面の図示しない吸気部に対応する箇所の本体カバー２に吸気口３２を備えている。
【０１０６】
なお、温風乾燥機３０は、発熱部と、送風部と、スイッチとで構成し家庭用電源からの電力供給により駆動する。
【０１０７】
また、通気孔３１および吸気口３２の直径または設置個数は、温風乾燥機３０の能力に合わせた適宜の直径および個数としている。
【０１０８】
以上の構成により、折畳みベッド収納カバー１内部の上部収納棚１ａに収納した関連寝具５ａと、ベッド収納部１ｂに収納した折畳みベッド５ｂとを、折畳みベッド収納カバー１に収納している間に乾燥することができる。
【０１０９】
したがって、関連寝具５ａおよび折畳みベッド５ｂを乾燥するためだけの準備作業等を必要とせず、関連寝具５ａおよび折畳みベッド５ｂを折畳みベッド収納カバー１に収納するだけで関連寝具５ａおよび折畳みベッド５ｂを乾燥することもできる。
【０１１０】
なお、温風乾燥機３０は金属製骨組３上部に載置せずとも、折畳みベッド収納カバー１と別体で構成し、本体カバー２に通気孔３１を備えて、本体カバー２の外部より温風乾燥機３０を通気孔３１に接続して乾燥してもよい。
【０１１１】
この発明の構成と、上述の実施形態との対応において、
この発明の物品は、折畳みベッド５ｂに対応し、
以下同様に、
収納具は、折畳みベッド収納カバー１に対応し、
開口部は、収納口２ｂ、収納口２ｃ、門型出入口６に対応し、
連結手段は、開閉バー７に対応し、
移動手段は、キャスタ３ｄに対応し、
固定手段は、拘束治具１０に対応し、
骨組みは、金属製骨組３に対応し、
カバー体は、本体カバー２に対応し、
閉塞体は、収納口カバー２ｄ、カーテン２０に対応し、
開閉手段は、ファスナ２ｆに対応し、
関連物品は、関連寝具５ａに対応し、
収納部は、上部収納棚１ａ、上面収納部１ｃに対応するも、
この発明は、上述の実施形態の構成のみに限定されるものではなく、多くの実施の形態を得ることができる。
【図面の簡単な説明】
【０１１２】
【図１】折畳みベッド収納カバーの説明図。
【図２】金属製骨組の説明図。
【図３】金属製骨組の左断面図。
【図４】門型出入口の下部の拡大斜視図。
【図５】実施例２の金属製骨組の左側面図。
【図６】実施例２の金属製骨組の正面図。
【図７】実施例２のＡ−Ａ平面断面図。
【図８】拘束治具の説明図。
【図９】実施例３の折畳みベッド収納カバーの左斜視図。
【図１０】実施例４の折畳みベッド収納カバーの説明図。
【図１１】実施例４の折畳みベッド収納カバーの中央上部拡大正面断面図。
【図１２】実施例５の折畳みベッド収納カバーの左断面図。
【符号の説明】
【０１１３】
１…折畳みベッド収納カバー
１ａ…上部収納棚
１ｃ…上面収納部
２…本体カバー
２ｂ…収納口
２ｃ…収納口
２ｄ…収納口カバー
２ｆ…ファスナ
３…金属製骨組
３ｄ…キャスタ
５ａ…関連寝具
５ｂ…折畳みベッド
６…門型出入口
７…開閉バー
１０…拘束治具
２０…カーテン
【図１】
2006122418.tif 000003
【図２】
2006122418.tif 000004
【図３】
2006122418.tif 000005
【図４】
2006122418.tif 000006
【図５】
2006122418.tif 000007
【図６】
2006122418.tif 000008
【図７】
2006122418.tif 000009
【図８】
2006122418.tif 000010
【図９】
2006122418.tif 000011
【図１０】
2006122418.tif 000012
【図１１】
2006122418.tif 000013
【図１２】
2006122418.tif 000014